【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
少なくとも１つの物体（１１２）の位置を決定するための検出器（１１０）であって、前記検出器（１１０）は、
―  各光センサが感光領域（１２２）を有している光センサ（１２０）のマトリックス（１１８）を備えた少なくとも１つのセンサ要素（１１６）であって、各前記光センサ（１２０）は物体（１１２）から検出器（１１０）に伝播する反射光ビーム（１８２）によって、それぞれの前記感光領域（１２２）の照射に応答して少なくとも１つのセンサ信号を生成するように設計され、前記センサ要素（１１６）は少なくとも１つの反射画像（１２６）を決定するように適合された、少なくとも１つのセンサ要素と；
―  少なくとも１つの評価装置（１２８）であって、反射画像（１２６）の少なくとも１つの反射特徴を選択するように適合され、センサ信号からの結合信号Ｑを評価することにより、反射画像（１２６）の選択された反射特徴の少なくとも１つの縦方向領域（１３０）を決定するように構成され、前記縦方向領域（１３０）に対応する少なくとも１つの参照画像（１３４）内の少なくとも１つの変位領域を決定するように適合され、選択された反射特徴を変位領域内の少なくとも１つの参照特徴と一致させるように適合された少なくとも１つの評価装置（１２８）と、
を有する。
【請求項２】
前記評価装置（１２８）は、一致した前記参照特徴および前記選択された反射特徴の変位を決定するように適合され、縦方向座標と変位との間の所定の関係を使用して、一致した特徴の縦方向情報を決定するように適合される、請求項１に記載の検出器（１１０）。
【請求項３】
前記評価装置（１２８）は、前記センサ信号の割算、前記センサ信号の倍数の割算、前記センサ信号の線形結合の割算のうちの１つまたは複数によって前記結合信号Ｑを導出するように構成される、請求項１または２のいずれか１項に記載の検出器（１１０）。
【請求項４】
前記評価装置（１２８）は、前記縦方向領域を決定するために、前記結合信号Ｑと前記縦方向領域との間の少なくとも１つの所定の関係を使用するように構成される、請求項１から３のいずれか１項に記載の検出器（１１０）。
【請求項５】
前記評価装置（１２８）は、前記結合信号Ｑを評価することによって、前記選択された反射特徴の少なくとも１つの縦方向座標ｚを決定するように適合され、前記縦方向領域（１３０）は、前記縦方向座標ｚと誤差間隔±εで与えられる、請求項１から４のいずれか１項に記載の検出器（１１０）。
【請求項６】
前記参照画像（１３４）および前記反射画像（１２６）は、固定距離を有する異なる空間位置で決定された前記物体の画像であり、前記評価装置（１２８）は、前記参照画像（１３４）内のエピポーラ線（１３６）を決定するように適合される、請求項１から５のいずれか１項に記載の検出器（１１０）。
【請求項７】
前記変位領域（１３２）は、前記エピポーラ線（１３６）に沿って延び、前記評価装置（１２８）は、前記縦方向座標ｚに対応する前記エピポーラ線（１３６）に沿って前記参照特徴を決定し、前記誤差間隔±εに対応する前記エピポーラ線（１３６）に沿って前記変位領域（１３２）の範囲を決定するように適合されている、請求項５または６のいずれか１項に記載の検出器（１１０）。
【請求項８】
前記評価装置（１２８）が以下の、
−  各反射特徴の画像位置の前記変位領域を決定するステップ；
−  変位領域に最も近い、および／または、変位領域内、および／または、前記エピポーラ線に直交する方向に沿った変位領域に最も近いエピポーラ線を割り当てることによって、各反射特徴の変位領域にエピポーラ線を割り当てるステップ；
−  前記割り当てられた変位領域に最も近い、および／または、割り当てられた変位領域内、および／または、割り当てられたエピポーラ線に沿って割り当てられた変位領域に最も近い、および／または、割り当てられた前記エピポーラ線に沿った割り当てられた前記変位領域内の参照特徴を割り当てることにより、各反射特徴に少なくとも１つの参照特徴を割り当ておよび／または決定するステップ、
を実行するように構成されている、請求項７に記載の検出器（１１０）。
【請求項９】
前記評価装置（１２８）は、前記決定された縦方向座標ｚを考慮した少なくとも１つの評価アルゴリズムを使用して、前記反射画像（１２６）の前記選択された特徴を前記変位領域（１３２）内の前記参照特徴とマッチングさせ、前記評価アルゴリズムは線形スケーリングアルゴリズムである、請求項１から８のいずれか１項に記載の検出器（１１０）。
【請求項１０】
前記評価装置（１２８）は、下記数１によって結合信号Ｑを導出するように構成され、ｘおよびｙは横方向座標、Ａ１およびＡ２はセンサ位置における前記反射光ビーム（１８２）の少なくとも１つのビームプロファイルの異なるエリア、Ｅ（ｘ，ｙ，ｚ０）は、物体距離ｚ０において与えられるビームプロファイルを表し、前記センサ信号のそれぞれは前記反射光ビームの前記ビームプロファイルの少なくとも１つのエリアの少なくとも１つの情報を含む、請求項１から９のいずれか１項に記載の検出器（１１０）。
【数１】
2020531849.tif 000001
【請求項１１】
前記感光領域（１２２）は、第１のセンサ信号が前記ビームプロファイルの第１のエリアの情報を含み、第２のセンサ信号が前記ビームプロファイルの第２のエリアの情報を含むように配置され、前記ビームプロファイルの第１のエリアおよび前記ビームプロファイルの第２のエリアは、隣接するまたは重なり合う領域の一方または両方である、請求項１０に記載の検出器（１１０）。
【請求項１２】
前記評価装置（１２８）は、前記ビームプロファイルの前記第１のエリアおよび前記ビームプロファイルの前記第２のエリアを決定するように構成され、前記ビームプロファイルの前記第１のエリアは、本質的に前記ビームプロファイルのエッジ情報を含み、前記ビームプロファイルの前記第２のエリアは、本質的に前記ビームプロファイルの中心情報を含み、前記エッジ情報は、前記ビームプロファイルの前記第１のエリア内の光子の数に関する情報を含み、前記中心情報は、前記ビームプロファイルの前記第２のエリア内の光子の数に関する情報を含む、請求項１１に記載の検出器（１１０）。
【請求項１３】
少なくとも１つの前記評価装置（１２８）は、前記センサ信号を評価するために、
ａ）最高のセンサ信号を有し、少なくとも１つの中心信号を形成する少なくとも１つの光センサ（１２０）を決定すること；
ｂ）前記マトリックス（１１８）の前記光センサ（１２０）の前記センサ信号を評価し、少なくとも１つの和信号を形成すること；
ｃ）前記中心信号と前記和信号を結合することによって少なくとも１つの結合信号を決定すること：および
ｄ）前記結合信号を評価することによって、前記縦方向領域を決定すること、
によって構成されている、請求項１から１２のいずれか１項に記載の検出器（１１０）。
【請求項１４】
前記結合信号は、前記中心信号と前記和信号との商またはその逆の商を形成すること；前記中心信号の倍数と前記和信号の倍数との商またはその逆の商を形成すること；前記中心信号の線形結合と前記和信号の線形結合との商またはその逆の商を形成すること、のうちの１つまたは複数によって導出される商信号Ｑである、請求項１３に記載の検出器（１１０）。
【請求項１５】
前記検出器（１１０）は少なくとも１つの照射源（１２４）を含み、前記照射源（１２４）は、前記物体（１１２）の照射のための少なくとも１つの照射パターンを生成するように適合され、前記照射パターンは、少なくとも１つの点パターン、特に擬似ランダム点パターン、少なくとも1つの既知の特徴を含む少なくとも1つのパターン、からなる群から選択される、請求項１から１４のいずれか１項に記載の検出器（１１０）。
【請求項１６】
前記センサ要素（１１６）は、少なくとも１つの反射パターンを決定するように適合され、前記評価装置（１２８）は、前記反射パターンの少なくとも１つの特徴を選択し、前記センサ信号からの結合信号Ｑを評価することにより前記反射パターンの選択された特徴の前記縦方向領域（１３０）を決定するように適合される、請求項１５に記載の検出器（１１０）。
【請求項１７】
前記参照画像（１３４）は、前記照射源（１２４）の位置における画像平面での照射パターンの画像であって、前記評価装置（１２８）は、前記反射パターンの選択された特徴の縦方向領域（１３０）に対応する前記参照画像（１３４）内の変位領域（１３２）を決定するように適合され、前記評価装置（１２８）は、前記反射パターンの前記選択された特徴を前記変位領域（１３２）内の参照パターンの少なくとも１つの特徴とマッチングさせるように適合される、請求項１６に記載の検出器（１１０）。
【請求項１８】
前記検出器（１１０）は各々が前記光センサ（１２０）の前記マトリックス（１１８）を有する少なくとも２つのセンサ要素（１１６）を含み、前記少なくとも１つの第１のセンサ要素（１４２）および前記少なくとも１つの第２のセンサ要素（１４４）が異なる空間位置に配置され、前記第１のセンサ要素（１４２）と前記第２の要素（１４４）との間の相対距離は固定され、前記少なくとも１つの前記第１のセンサ要素（１４２）は、少なくとも１つの第１の反射パターンを決定するように適合され、前記少なくとも１つの前記第２のセンサ要素（１４４）は、少なくとも１つの第２の反射パターンを決定するように適合され、前記評価装置（１２８）は、前記第１のセンサ要素（１４２）または前記第２のセンサ要素（１４４）によって決定された少なくとも１つの画像を反射画像（１２６）として選択し、前記第１のセンサ要素（１４２）または前記第２のセンサ要素（１４４）によって決定される少なくとも１つの画像の他方を参照画像（１３４）として選択するように適合される、請求項１５から１７のいずれか１項に記載の検出器（１１０）。
【請求項１９】
少なくとも１つの物体（１１２）の位置を決定するための検出器システム（１４８）であって、
前記検出器システム（１４８）は請求項１〜１８のいずれか１項に記載の少なくとも１つの検出器（１１０）を含み、少なくとも１つの光ビームを前記検出器（１１０）に向けるように適合された少なくとも１つのビーコン装置（１５０）をさらに含み、前記
ビーコン装置（１５０）は、物体（１１２）に取り付け可能、物体（１１２）により保持可能、物体（１１２）に一体化可能であるうちの少なくとも１つである、検出器システム（１４８）。
【請求項２０】
ユーザ（１７０）とマシン（１８４）との間で少なくとも１つの情報項目を交換するためのヒューマンマシンインターフェース（１５２）であって、該ヒューマンマシンインターフェース（１５２）は請求項１９に記載の少なくとも１つの検出器システム（１４８）を含み、前記少なくとも１つのビーコン装置（１５０）は、直接または間接的にユーザ（１７０）に取り付けられるか、またはユーザ（１７０）によって保持されるかのうちの少なくとも１つに適合され、前記ヒューマンマシンインターフェース（１５２）は前記検出器システム（１４８）によって前記ユーザ（１７０）の少なくとも１つの位置を決定するように設計され、少なくとも１つの情報項目をその位置に割り当てるように設計されている、ヒューマンマシンインターフェース（１５２）。
【請求項２１】
少なくとも１つの娯楽機能を実行するための娯楽装置（１５４）であって、請求項２０に記載の少なくとも１つのヒューマンマシンインターフェース（１５２）を含み、少なくとも１つの情報項目を、前記ヒューマンマシンインターフェース（１５２）を介してプレーヤによって入力可能に設計され、前記情報に従って前記娯楽機能を変えるように設計されている、娯楽装置（１５４）。
【請求項２２】
少なくとも１つの可動物体（１１２）の位置を追跡するための追跡システム（１５６）であって、検出器システム（１４８）を参照する請求項１９に記載の少なくとも１つの検出器システム（１４８）を含み、さらに少なくとも１つの追跡コントローラ（１８６）を含み、前記追跡コントローラ（１８６）は、特定の時点における前記物体（１１２）の一連の位置を追跡するように適合されている、追跡システム（１５６）。
【請求項２３】
情景の深度プロファイルを決定するための走査システム（１５８）であって、検出器を参照する請求項１から１８のいずれかによる少なくとも１つの検出器（１１０）を含み、少なくとも１つの光ビームで前記情景を走査するように適合された少なくとも１つの照射源（１２４）をさらに備える、走査システム（１５８）。
【請求項２４】
少なくとも１つの物体（１１２）を撮像するカメラ（１４６）であって、検出器を参照する請求項１から１８のいずれか１つによる少なくとも１つの検出器（１１０）を含むカメラ（１４６）。
【請求項２５】
検出器を参照する請求項１から１８のいずれか１つによる少なくとも１つの検出器を使用して、少なくとも１つの物体の位置を決定する方法であって、以下のステップ：
−  物体（１１２）から検出器（１１０）に伝播する少なくとも１つの反射光ビーム（１８２）による、それぞれ感光領域（１２２）を有する光センサ（１２０）のマトリックス（１１８）を有する少なくとも１つのセンサ要素（１１６）への照射に応答して、少なくとも２つのセンサ信号を生成するステップと；
−  前記センサ要素（１１６）を用いて少なくとも１つの反射画像（１２６）を決定するステップと；
−  前記反射画像（１２６）の少なくとも１つの反射特徴を選択し、少なくとも１つの評価装置（１２８）を用いて前記センサ信号を評価することにより、前記選択された反射特徴の少なくとも１つの縦方向領域（１３０）を決定し、前記評価は、センサ信号からの結合信号Ｑを評価することを含む、ステップと；
−  前記縦方向領域（１３０）に対応する少なくとも１つの参照画像（１３４）における少なくとも１つの変位領域（１３２）を決定するステップと；
−  前記選択した反射特徴を前記変位領域（１３２）内の少なくとも１つの参照特徴とマッチングさせるステップと、
を含む、方法。
【請求項２６】
検出器に関する請求項１から１８のいずれか１つによる検出器（１１０）の使用であって、使用目的が：交通技術における位置測定；娯楽用途；セキュリティ用途；監視用途；安全用途；ヒューマンマシンインターフェース用途；物流用途；追跡用途；屋外用途；モバイル用途；通信用途；写真撮影用途；マシンビジョン用途；ロボット用途；品質管理用途、製造用途、からなる群から選択される検出器（１１０）の使用。